【事件の表示】
　特願２０１６−１５２３５３号「遊技機」拒絶査定不服審判事件〔平成３０年２月８日出願公開、特開２０１８−１９８５６号〕について、次のとおり審決する。
【結　論】
　本件審判の請求は、成り立たない。
【理　由】
第１　手続の経緯の概要
　本願は、平成２８年８月２日の出願であって、平成２９年６月１９日付けで拒絶の理由が通知され、同年８月２４日に意見書及び手続補正書が提出されたところ、平成３０年１月２４日付け（発送日：同年１月３０日）で拒絶査定がなされ、それに対して、同年５月１日に拒絶査定不服審判の請求がなされると同時に手続補正がなされたものである。
　
第２　平成３０年５月１日にされた手続補正についての補正却下の決定
［補正の却下の決定の結論］
　平成３０年５月１日にされた手続補正（以下「本件補正」という。）を却下する。
　
［理由］
　１　補正の内容
　本件補正により、平成２９年８月２４日付け手続補正書の特許請求の範囲の請求項１における
「遊技の進行を制御する主制御手段と、
　前記主制御手段に接続され、前記主制御手段からの信号に応じて、特別図柄、特別図柄に対応する抽選についての保留記憶数、大当り遊技のラウンド数、普通図柄、普通図柄に対応する抽選についての保留記憶数のうちのいずれかをＬＥＤにより表示する表示手段と
を備える遊技機であって、
　前記表示手段は、
　複数の前記ＬＥＤが表面実装されると共に、前記主制御手段に電気的に繋がるハーネスが接続されるコネクタが表面実装された表示用基板と、
　前記複数のＬＥＤが実装された前記表示用基板前面を覆うカバー部材と、
　を備え、
　前記カバー部材は、前記カバー部材を前後に貫通すると共に前記ＬＥＤに対応して形成される窓を区画し、前記窓に対応する前記ＬＥＤの状態を前記窓毎に区別可能に構成した窓画成部を備え、
　前記表示手段は、前記表示用基板が前記カバー部材から取り外し困難、前記表示用基板と前記カバー部材とが再組み立て困難、又は、該表示手段を分解した際に前記カバー部材及び前記表示用基板の何れかに取り外しの痕跡が残るように構成した
ことを特徴とする遊技機。」は、
　審判請求時に提出された手続補正書（平成３０年５月１日付け）における
「遊技の進行を制御する主制御手段と、
　前記主制御手段に接続され、前記主制御手段からの信号に応じて、特別図柄、特別図柄に対応する抽選についての保留記憶数、大当り遊技のラウンド数、普通図柄、普通図柄に対応する抽選についての保留記憶数のうちのいずれかをＬＥＤにより表示する表示手段と
を備える遊技機であって、
　前記表示手段は、
　複数の前記ＬＥＤが
前面に
後面に
、前記コネクタが前記複数のＬＥＤの実装領域に対応する後側位置に配置された
　前記複数のＬＥＤが実装された前記表示用基板前面を覆うカバー部材と、
　を備え、
　前記カバー部材は、前記カバー部材を前後に貫通すると共に前記ＬＥＤに対応して形成される窓を区画し、前記窓に対応する前記ＬＥＤの状態を前記窓毎に区別可能に構成した窓画成部を備え、
　前記表示手段は、前記表示用基板が前記カバー部材から取り外し困難、前記表示用基板と前記カバー部材とが再組み立て困難、又は、該表示手段を分解した際に前記カバー部材及び前記表示用基板の何れかに取り外しの痕跡が残るように構成した
ことを特徴とする遊技機。」に補正された（下線は、補正箇所を明示するために当審にて付した。）。
　
　２　補正の適否
　本件補正は、補正前の請求項１〜２のうちの請求項１について、発明を特定するために必要な事項である「表示手段」が備える「表示用基板」に関して、「複数の前記ＬＥＤが表面実装されると共に、前記主制御手段に電気的に繋がるハーネスが接続されるコネクタが表面実装された表示用基板」とあったものを「複数の前記ＬＥＤが
前面に
後面に
、前記コネクタが前記複数のＬＥＤの実装領域に対応する後側位置に配置された
　
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した明細書の【１２６６】〜【１２６７】の記載からみて新規事項を追加するものではないから、特許法第１７条の２第３項に規定する要件を満たす。
　
　３　独立特許要件
　そこで、本件補正後の請求項１に係る発明（以下「本件補正発明」という。）が特許出願の際に独立して特許を受けることができるものであるか、すなわち、特許法第１７条の２第６項において準用する同法第１２６条第７項の規定に適合するかについて、以下に検討する。
　（１）本件補正発明
　本件補正発明は、次のとおりのものであると認める（記号Ａ〜Ｅは、分説するため審決にて付した。）。
「Ａ　遊技の進行を制御する主制御手段と、
Ｂ　前記主制御手段に接続され、前記主制御手段からの信号に応じて、特別図柄、特別図柄に対応する抽選についての保留記憶数、大当り遊技のラウンド数、普通図柄、普通図柄に対応する抽選についての保留記憶数のうちのいずれかをＬＥＤにより表示する表示手段と
を備える遊技機であって、
Ｃ　前記表示手段は、
Ｃ１　複数の前記ＬＥＤが前面に表面実装されると共に、前記主制御手段に電気的に繋がるハーネスが接続されるコネクタが後面に表面実装され、前記コネクタが前記複数のＬＥＤの実装領域に対応する後側位置に配置された表示用基板と、
Ｃ２　前記複数のＬＥＤが実装された前記表示用基板前面を覆うカバー部材と、
　を備え、
Ｄ　前記カバー部材は、前記カバー部材を前後に貫通すると共に前記ＬＥＤに対応して形成される窓を区画し、前記窓に対応する前記ＬＥＤの状態を前記窓毎に区別可能に構成した窓画成部を備え、
Ｅ　前記表示手段は、前記表示用基板が前記カバー部材から取り外し困難、前記表示用基板と前記カバー部材とが再組み立て困難、又は、該表示手段を分解した際に前記カバー部材及び前記表示用基板の何れかに取り外しの痕跡が残るように構成した
ことを特徴とする遊技機。」
　
　（２）刊行物１
　原査定の拒絶理由において引用された、本願の出願前に頒布された刊行物である特開２０１５−１００４６７号公報（以下「刊行物１」という。）には、図面と共に次の事項が記載されている（下線部は当審で付した。以下同様。）。
　
　　　ア　記載事項
　　　（ア）「【技術分野】
【０００１】
　本発明は、ＬＥＤを用いた表示装置を備える遊技機に関する。
・・・
【発明が解決しようとする課題】
【０００４】
　しかしながら、従来、特別図柄表示器では、基板に形成された孔部に端子を差し込んで半田付けするスルーホール実装によりＬＥＤが基板に取り付けられていた。このため、ＬＥＤを基板から取り外し、再度基板に取り付けることが可能であり、不正行為の対象となるおそれがある。
【０００５】
　本発明は、上述した課題を解決するためになされたものであり、ＬＥＤを用いた表示装置への不正行為を防止することを目的とする。
・・・
【０００７】
　本発明の遊技機は、遊技の進行を制御する主制御基板（７００）と、主制御基板に接続され、主制御基板からの信号に応じて、特別図柄、
特別図柄に対応する抽選についての保留記憶数、
普通図柄に対応する抽選についての保留記憶数
を
表示する表示装置（２０８）
・・・
【００１１】
　また、
ＬＥＤが表示用基板に表面実装されているため、ＬＥＤを表示用基板にスルーホール実装する場合に比べ、軽量化が可能となると共に、故障を低減させることができる。
　
　　　（イ）「【発明を実施するための形態】
【００１３】
　以下、適宜図面を参照しつつ、本発明の遊技機の一実施形態としてのパチンコ遊技機１について説明する。
　＜第１実施形態＞
　［パチンコ遊技機１の構成］
　図１を用いて、遊技機１の概略構成について説明する。図１は、本実施形態の遊技機１の概略正面図である。遊技機１は、遊技者の発射操作に基づいて遊技球を発射させ、特定の入賞装置に遊技球が入賞すると、その入賞に基づいて所定数の遊技球を遊技者に払い出すよう構成されたパチンコ遊技機である。なお、本実施形態の遊技機１は、１種タイプと呼ばれるパチンコ遊技機である。
【００１４】
　図１に示すように、
遊技機１は、
遊技盤１００
を備えている。
・・・
【００１７】
　図２を用いて、遊技機１における略中央部に配置される遊技盤１００の具体的構成を説明する。図２に示すように、遊技盤１００は、板状の板状部材２００に遊技釘や各種役物等を配することで構成されており、その中央に、液晶表示装置２０１を有している。また、
遊技盤１００は、入
表示器２０８を有している。
　
　　　（ウ）「【００３５】
　［表示器及びサブ表示器について］
　図３は、表示器２０８の正面図の一例である。本実施形態では、表示器２０８は、遊技領域１０２の左下に外レール２１０ａに隣接して配されているが、これに限定されることは無く、様々な位置に配置することができる。
【００３６】
　表示器２０８は、主に特別図柄判定や普通図柄判定に関する情報（換言すれば、遊技にて遊技者に付与される利益に関する情報）を表示するものである。より詳しくは、表示器２０８は、第１，第２特別図柄表示器３００，３１０、第１，第２特別図柄保留表示器３０１，３１１、確変表示器３２０、時短表示器３２１、右打ち表示器３２２、大当たりラウンド数表示器３３０、普通図柄表示器３４０、及び、普通図柄保留表示器３４１として構成することができる。なお、これらの表示器の詳細については、後述する。
【００３７】
　また、サブ表示器２２０も、遊技にて遊技者に付与される利益に関する情報を表示するものであり、同様にして、第１，第２特別図柄表示器、第１，第２特別図柄保留表示器、確変表示器、時短表示器、右打ち表示器、大当たりラウンド数表示器、普通図柄表示器、及び、普通図柄保留表示器として構成することができる。
【００３８】
　表示器２０８及びサブ表示器２２０の双方が搭載される場合であれば、上述した表示器３００〜３４１としての機能の各々が、表示器２０８及びサブ表示器２２０のいずれかに割り当てられる。また、表示器２０８又はサブ表示器２２０の一方が搭載される場合であれば、搭載された表示器２０８又はサブ表示器２２０が、上述した表示器３００〜３４１としての機能を全て備えることになる。
【００３９】
　表示器２０８は、２列に並んだ複数のＬＥＤを有しており、表示器２０８のみにより遊技にて遊技者に付与される利益に関する情報を表示する場合には、これらのＬＥＤは、第１，第２特別図柄表示器３００，３１０、第１，第２特別図柄保留表示器３０１，３１１、確変表示器３２０、時短表示器３２１、右打ち表示器３２２、大当たりラウンド数表示器３３０、普通図柄表示器３４０、及び、普通図柄保留表示器３４１を構成する。」
　
　　　（エ）「【００６９】
　［遊技機１の内部構成］
　図７は、遊技機１のブロック図である。
遊技機１は、主制御基板７００
を備えている。
【００７０】
　
主制御基板７００は、遊技機の基本動作を制御する。
主制御基板７００は、
出力ポート
を備えている。
・・・
【００７２】
　また、
主制御用の出力ポートには、
表示器２０８
が接続されている。この主制御用の出力ポートによって、各種信号が出力される。
【００７３】
　なお、
表示器２０８
は、
特別図柄表示器３００，３１０、特別図柄保留表示器３０１，３１１、確変表示器３２０、時短表示器３２１、右打ち表示器３２２、大当たりラウンド数表示器３３０、普通図柄表示器３４０、普通図柄保留表示器３４１を有しており、これら各表示器３００〜３４１がそれぞれ主制御用の出力ポートに接続されている。
　
　　　（オ）「【０１９７】
　
＜第２実施形態＞
　
第２実施形態では、第１実施形態の表示器２０８の構成が異なっている。
【０１９８】
　
本実施形態では、表示器２０８は、１
の表示部から構成されている。
　
図２２は、表示部２２００を正面側から見た斜視図である。また、図２３は、表示部２２００を底部側から見た斜視図である。
【０１９９】
　
表示部２２００は、カバー部材２２１０と、表面に１０個のＬＥＤが表面実装された表示用基板２３００等から構成されている。
　
カバー部材２２１０は、
カバー部材２２１０の底部をなす板状の台座部２２３０と、台座部２２３０から突出した三角柱状の突起部２２２０とから構成されている。
【０２００】
　
突起部２２２０には、その突出方向に沿って当該突起部２２２０を貫通する導光用孔部２２４０が１０個形成されている。
　また、
カバー部材２２１０の台座部２２３０は、その表面を覆った状態で表示用基板２３００に取り付けられ、各導光用孔部２２４０は、表示用基板２３００の表面に表面実装されたＬＥＤに対応する位置に配される。これにより、突起部２２２０の頂部側から、導光用孔部２２４０を介して各ＬＥＤの点灯状態を視認することが可能となる。
【０２０１】
　一方、
表示用基板２３００の裏面には、表面に表面実装されたＬＥＤに配線されたコネクタ２３１０が設けられており（図２３参照）、コネクタ２３１０を介して、該ＬＥＤと主制御基板７００とが接続される。
【０２０２】
　そして、
表示用基板２３００は、カバー部材２２１０の台座部２２３０に溶着されており、これにより、表示用基板２３００は、カバー部材２２１０に対し、取り外し不可能或いは再組立て不可能な状態
で取り付けられる。
　
　　　イ　認定事項
　　　（カ）刊行物１には、【０１９７】に「・・・第２実施形態では、第１実施形態の表示器２０８の構成が異なっている。・・・」と記載され、【０１９８】に「本実施形態では、表示器２０８は、１・・・の表示部から構成されている。図２２は、表示部２２００を正面側から見た斜視図である。また、図２３は、表示部２２００を底部側から見た斜視図である。」と記載され、【０１９９】に「表示部２２００は、・・・表面に１０個のＬＥＤが表面実装された表示用基板２３００等から構成されている。」と記載され、【０２０１】に「表示用基板２３００の裏面には、表面に表面実装されたＬＥＤに配線されたコネクタ２３１０が設けられており（図２３参照）、コネクタ２３１０を介して、該ＬＥＤと主制御基板７００とが接続される。」と記載されている。
　
　第２実施形態の表示器２０８を構成する表示部２２００を正面側から見た斜視図である【図２２】、
　第２実施形態の表示器２０８を構成する表示部２２００を底部側から見た斜視図である【図２３】、
　
　
　
　
　
　そして、刊行物１の第２実施形態の表示器２０８を構成する表示部２２００を正面側から見た斜視図である【図２２】、第２実施形態の表示器２０８を構成する表示部２２００を底部側から見た斜視図である【図２３】には、表示用基板２３００に関して、１０個のＬＥＤが表面実装されている表面領域に対応する裏面領域に、コネクタ２３１０が設けられていることが図示されている。
　したがって、刊行物１には、「
表示器２０８を構成する１の表示部２２００は、１０個のＬＥＤが表面に表面実装され、ＬＥＤと主制御基板７００との接続を介在するコネクタ２３１０が裏面に設けられ、コネクタ２３１０が、１０個のＬＥＤが実装されている表面領域に対応する裏面領域に設けられている表示用基板２３００から構成され
　
　　　ウ　刊行物発明
　上記アの（ア）〜（オ）の記載事項、イの（カ）の認定事項、及び、図面の図示内容を総合勘案すると、刊行物１には、第１実施形態とは表示器２０８の構成が異なっている第２実施形態を中心に次の発明（以下「刊行物発明」という。）が記載されていると認められる（ａ〜ｅは、本件補正発明の構成Ａ〜Ｅに対応させて付与した。）。
「ａ　遊技機の基本動作を制御する主制御基板７００と（【００７０】）、
ｂ　主制御基板７００が備える主制御用の各出力ポートにそれぞれが接続され、この主制御用の出力ポートから出力される各種信号に基づいて、特別図柄表示器３００，３１０、特別図柄に対応する抽選についての保留記憶数を表示する特別図柄保留表示器３０１，３１１、確変表示器３２０、時短表示器３２１、右打ち表示器３２２、大当たりラウンド数表示器３３０、普通図柄表示器３４０、普通図柄に対応する抽選についての保留記憶数を表示する普通図柄保留表示器３４１を有する表示器２０８（【０００７】、【００７０】、【００７２】〜【００７３】）と
　を備える遊技機（【００１４】、【００１７】、【００６９】）であって、
ｃ　表示器２０８を構成する１の表示部２２００は（【０１９８】）、
ｃ１　１０個のＬＥＤが表面に表面実装され、ＬＥＤと主制御基板７００との接続を介在するコネクタ２３１０が裏面に設けられ、コネクタ２３１０が、１０個のＬＥＤが実装されている表面領域に対応する裏面領域に設けられている表示用基板２３００と（認定事項（カ））、
ｃ２　その台座部２２３０が、表示用基板２３００の表面を覆った状態で表示用基板２３００に取り付けられたカバー部材２２１０（【０１９９】【０２００】）と
　から構成され、
ｄ　カバー部材２２１０は、その底部をなす板状の台座部２２３０から突出した三角柱状の突起部２２２０を、その突出方向に沿って貫通する導光用孔部２２４０が１０個形成され、
　突起部２２２０の頂部側から、導光用孔部２２４０を介して各ＬＥＤの点灯状態を視認することが可能となるように、各導光用孔部２２４０は、表示用基板２３００の表面に表面実装されたＬＥＤに対応する位置に配され（【０１９９】〜【０２００】）、
ｅ　表示用基板２３００は、カバー部材２２１０の台座部２２３０に溶着されており、これにより、表示用基板２３００は、カバー部材２２１０に対し、取り外し不可能或いは再組立て不可能な状態で取り付けられる（【０２０２】）
遊技機。」
　
　（３）対比
　　　ア　本件補正発明と刊行物発明とを対比する（対比にあたっては、本件補正発明の構成Ａ〜Ｅと刊行物発明の構成ａ〜ｅについて、それぞれ（ａ）〜（ｅ）の見出しを付して行った。）。
　　　（ａ）刊行物発明における「遊技機の基本動作を制御する」ことは、本件補正発明における「遊技の進行を制御する」ことに相当する。
　したがって、刊行物発明における構成ａの「主制御基板７００」は、本件補正発明における構成Ａの「主制御手段」に相当する。
　
　　　（ｂ）刊行物発明における「主制御基板７００が備える主制御用の各出力ポートにそれぞれが接続され」ることは、本件補正発明における「主制御手段に接続され」ることに相当する。
　そして、刊行物発明における「主制御用の出力ポートから出力される各種信号に基づ」くことは、「各種信号」が「主制御基板７００」から出力されるものであることから、本件補正発明における「主制御手段からの信号に応じ」ることに相当する。
　また、刊行物発明における「表示器２０８」は、構成ｄより、「ＬＥＤの点灯」により表示を行うものであるから、刊行物発明における
　　「表示器２０８」のうちの「特別図柄表示器３００，３１０」、
　　「表示器２０８」のうちの「特別図柄に対応する抽選についての保留記憶数を表示する特別図柄保留表示器３０１，３１１」、
　　「表示器２０８」のうちの「大当たりラウンド数表示器３３０」、
　　「表示器２０８」のうちの「普通図柄表示器３４０」、
　　「表示器２０８」のうちの「普通図柄に対応する抽選についての保留記憶数を表示する普通図柄保留表示器３４１」は、それぞれ、
　本件補正発明における
　　「特別図柄」「をＬＥＤにより表示する表示手段」、
　　「特別図柄に対応する抽選についての保留記憶数」「をＬＥＤにより表示する表示手段」、
　　「大当り遊技のラウンド数」「をＬＥＤにより表示する表示手段」、
　　「普通図柄」「をＬＥＤにより表示する表示手段」、
　　「普通図柄に対応する抽選についての保留記憶数」「をＬＥＤにより表示する表示手段」に相当する。
　したがって、刊行物発明における「特別図柄表示器３００，３１０、特別図柄保留表示器３０１，３１１、確変表示器３２０、時短表示器３２１、右打ち表示器３２２、大当たりラウンド数表示器３３０、普通図柄表示器３４０、普通図柄保留表示器３４１を有する表示器２０８」は、本件補正発明における「表示手段」に相当する。
　よって、刊行物発明における構成ｂの「主制御基板７００が備える主制御用の各出力ポートにそれぞれが接続され、この主制御用の出力ポートから出力される各種信号に基づいて、特別図柄表示器３００，３１０、特別図柄保留表示器３０１，３１１、確変表示器３２０、時短表示器３２１、右打ち表示器３２２、大当たりラウンド数表示器３３０、普通図柄表示器３４０、普通図柄保留表示器３４１を有する表示器２０８」は、本件補正発明における構成Ｂの「主制御手段に接続され、主制御手段からの信号に応じて、特別図柄、特別図柄に対応する抽選についての保留記憶数、大当り遊技のラウンド数、普通図柄、普通図柄に対応する抽選についての保留記憶数のうちのいずれかをＬＥＤにより表示する表示手段」に相当する。
　
　　　（ｃ、ｃ１）上記（ｂ）より、刊行物発明における「表示器２０８を構成する１の表示部２２００」は、本件補正発明における「表示手段」に相当する。
　そして、刊行物発明における「１０個のＬＥＤが表面に表面実装され」ることは、本件補正発明における「複数のＬＥＤが前面に表面実装される」ことに相当する。
　また、刊行物発明における「ＬＥＤと主制御基板７００との接続を介在するコネクタ２３１０が裏面に設けられ」ることは、「接続」が配線（本件補正発明における「ハーネス」に相当する。）を用いてなされるものであるから、コネクタ２３１０は主制御基板７００に配線接続されているものといえる。
　したがって、刊行物発明における「ＬＥＤと主制御基板７００との接続を介在するコネクタ２３１０が裏面に設けられ」ることと、本件補正発明における「主制御手段に電気的に繋がるハーネスが接続されるコネクタが後面に表面実装され」ることとは、「主制御手段に電気的に繋がるハーネスが接続されるコネクタが後面に実装され」ることで共通する。
　さらに、刊行物発明における「コネクタ２３１０が、１０個のＬＥＤが実装されている表面領域に対応する裏面領域に設けられている」ことは、本件補正発明における「コネクタが複数のＬＥＤの実装領域に対応する後側位置に配置された」ことに相当する。
　よって、刊行物発明における構成ｃ、ｃ１の「１０個のＬＥＤが表面に表面実装され、ＬＥＤと主制御基板７００との接続を介在するコネクタ２３１０が裏面に設けられ、コネクタ２３１０が、１０個のＬＥＤが実装されている表面領域に対応する裏面領域に設けられている表示用基板２３００」から構成される「表示器２０８を構成する１の表示部２２００」と、本件補正発明における構成Ｃ、Ｃ１の「複数のＬＥＤが前面に表面実装されると共に、主制御手段に電気的に繋がるハーネスが接続されるコネクタが後面に表面実装され、コネクタが複数のＬＥＤの実装領域に対応する後側位置に配置された表示用基板」を備える「表示手段」とは、「複数のＬＥＤが前面に表面実装されると共に、主制御手段に電気的に繋がるハーネスが接続されるコネクタが後面に実装され、コネクタが複数のＬＥＤの実装領域に対応する後側位置に配置された表示用基板を備える表示手段」である点で共通する。
　
　　　（ｃ、ｃ２）刊行物発明における「その台座部２２３０が、表示用基板２３００の表面を覆った状態で表示用基板２３００に取り付けられ」ることは、構成ｃ１によると、「表示用基板２３００」「表面」に「１０個のＬＥＤが」「表面実装され」ているから、本件補正発明における「複数のＬＥＤが実装された表示用基板前面を覆う」ことに相当する。
　したがって、刊行物発明における構成ｃ、ｃ２の「その台座部２２３０が、表示用基板２３００の表面を覆った状態で表示用基板２３００に取り付けられたカバー部材２２１０」から構成される「表示器２０８を構成する１の表示部２２００」は、本件補正発明における構成Ｃ、Ｃ２の「複数のＬＥＤが実装された表示用基板前面を覆うカバー部材」を備える「表示手段」に相当する。
　
　　　（ｄ）刊行物発明における「カバー部材２２１０」「の底部をなす板状の台座部２２３０から突出した三角柱状の突起部２２２０を、その突出方向に沿って貫通する導光用孔部２２４０が１０個形成」されることは、突起部２２２０に１０個の導光用孔部２２４０が区画形成されることであるから、本件補正発明における「カバー部材を前後に貫通する」ように「形成される窓を区画」することに相当する。
　そして、刊行物発明における「表示用基板２３００の表面に表面実装されたＬＥＤに対応する位置に配され」ることは、本件補正発明における「ＬＥＤに対応して形成される」ことに相当する。
　また、刊行物発明における「突起部２２２０の頂部側から、導光用孔部２２４０を介して各ＬＥＤの点灯状態を視認することが可能となる」ことは、本件補正発明における「窓に対応するＬＥＤの状態を窓毎に区別可能に構成」することに相当する。
　したがって、刊行物発明における構成ｄの「その底部をなす板状の台座部２２３０から突出した三角柱状の突起部２２２０を、その突出方向に沿って貫通する導光用孔部２２４０が１０個形成され、突起部２２２０の頂部側から、導光用孔部２２４０を介して各ＬＥＤの点灯状態を視認することが可能となるように、各導光用孔部２２４０は、表示用基板２３００の表面に表面実装されたＬＥＤに対応する位置に配され」る「カバー部材２２１０」は、本件補正発明における構成Ｄの「カバー部材を前後に貫通すると共にＬＥＤに対応して形成される窓を区画し、窓に対応するＬＥＤの状態を窓毎に区別可能に構成した窓画成部を備え」る「カバー部材」に相当する。
　
　　　（ｅ）刊行物発明における「表示用基板２３００は、カバー部材２２１０の台座部２２３０に溶着されており、これにより、表示用基板２３００は、カバー部材２２１０に対し、取り外し不可能」「な状態で取り付けられる」ことは、本件補正発明における「表示用基板がカバー部材から取り外し困難」「に構成した」ことに相当する。
　そして、刊行物発明における「表示用基板２３００は、カバー部材２２１０の台座部２２３０に溶着されており、これにより、表示用基板２３００は、カバー部材２２１０に対し」「再組立て不可能な状態で取り付けられる」ことは、本件補正発明における「表示用基板とカバー部材とが再組み立て困難」「に構成した」ことに相当する。
　ここで、刊行物発明は、構成ｃ〜ｃ２によると、「表示器２０８を構成する１の表示部２２００」が、「表示用基板２３００」と「カバー部材２２１０」とから構成されるものである。
　したがって、刊行物発明における構成ｅの「表示用基板２３００は、カバー部材２２１０の台座部２２３０に溶着されており、これにより、表示用基板２３００は、カバー部材２２１０に対し、取り外し不可能或いは再組立て不可能な状態で取り付けられる」ことは、本件補正発明における構成Ｅの「表示手段は、表示用基板が前記カバー部材から取り外し困難、表示用基板とカバー部材とが再組み立て困難、又は、該表示手段を分解した際に前記カバー部材及び表示用基板の何れかに取り外しの痕跡が残るように構成した」ことに相当する。
　
　上記（ａ）〜（ｅ）より、両者の一致点および相違点は、次のとおりである。
［一致点］
「Ａ　遊技の進行を制御する主制御手段と、
Ｂ　前記主制御手段に接続され、前記主制御手段からの信号に応じて、特別図柄、特別図柄に対応する抽選についての保留記憶数、大当り遊技のラウンド数、普通図柄、普通図柄に対応する抽選についての保留記憶数のうちのいずれかをＬＥＤにより表示する表示手段と
を備える遊技機であって、
Ｃ　前記表示手段は、
Ｃ１’　複数の前記ＬＥＤが前面に表面実装されると共に、前記主制御手段に電気的に繋がるハーネスが接続されるコネクタが後面に実装され、前記コネクタが前記複数のＬＥＤの実装領域に対応する後側位置に配置された表示用基板と、
Ｃ２　前記複数のＬＥＤが実装された前記表示用基板前面を覆うカバー部材と、
　を備え、
Ｄ　前記カバー部材は、前記カバー部材を前後に貫通すると共に前記ＬＥＤに対応して形成される窓を区画し、前記窓に対応する前記ＬＥＤの状態を前記窓毎に区別可能に構成した窓画成部を備え、
Ｅ　前記表示手段は、前記表示用基板が前記カバー部材から取り外し困難、前記表示用基板と前記カバー部材とが再組み立て困難、又は、該表示手段を分解した際に前記カバー部材及び前記表示用基板の何れかに取り外しの痕跡が残るように構成した
　遊技機。」
　
［相違点］（構成Ｃ１）
　コネクタの表示用基板の裏面への実装が、本件補正発明は、表面実装によるものであるのに対して、刊行物発明は、表面実装であるか否か不明である点で一応相違する。
　
　（４）当審の判断
　　　ア　相違点について
　上記相違点について検討する。
　　　（ア）周知技術に基づく判断
　遊技機の技術分野において、基板の有効利用を図るために、基板の表面に電子部品を表面実装すると共に、基板の裏面にコネクタを表面実装することは、本願の出願前に周知の技術事項である（例えば、特開２００５−２６２４６号公報の【００６８】〜【００７０】、【図２】には、回路基板のＡ面に電子部品等を表面実装すると共に、Ｂ面にコネクタ９３を表面実装することが示され、特開２０１０−４４２７号公報の【００１６】〜【００１７】、【００２７】、【図３】には、プリント基板７０の両面に表面実装型の電子部品７２を表面実装すると共に、背面パネル６２側の面に同軸コネクタレセプタクル７３を表面実装することが示されている。）。
　そして、刊行物発明は、構成ｃ１の「コネクタ２３１０が、１０個のＬＥＤが実装されている表面領域に対応する裏面領域に設けられている表示用基板２３００」を備えるものであるが、表示用基板２３００の両面に複数のＬＥＤとコネクタ２３１０とを設けることによって、基板の有効利用が図られているといえる。
　したがって、刊行物発明と上記周知の技術事項とは、基板の有効利用を図るという同一の機能を有するものである。
　よって、刊行物発明に上記周知の技術事項を適用して、コネクタ２３１０を表示用基板２３００の裏面に表面実装し、上記相違点に係る本件補正発明の構成とすることは当業者が容易になし得たものである。
　
　　　（イ）刊行物発明に基づく判断
　刊行物発明は、構成ｃ１を備えることにより「１０個のＬＥＤ」が「表示用基板２３００」の「表面に表面実装」されるものである。
　そして、刊行物１の【００１１】の「ＬＥＤが表示用基板に表面実装されているため、ＬＥＤを表示用基板にスルーホール実装する場合に比べ、軽量化が可能となると共に、故障を低減させることができる。」との記載によると、刊行物発明は、「１０個のＬＥＤ」が「表示用基板２３００」の「表面に表面実装」されることにより、「軽量化が可能となると共に、故障を低減させる」という作用効果を奏するものであるといえる。
　したがって、「コネクタ２３１０」についても、「１０個のＬＥＤ」の場合と同様に、「軽量化が可能となると共に、故障を低減させる」ために、「表示用基板２３００」の裏面に表面実装させ、上記相違点に係る本件補正発明の構成とすることは当業者が容易になし得たものである。
　
　　　イ　請求人の主張について
　請求人は、平成３０年５月１日付け審判請求書の「４．本願発明が特許されるべき理由（Ｂ）新請求項１および２と引用文献との対比」において、次の主張をする。
「本願発明は、ＬＥＤおよびコネクタを表示用基板の前面と後面とに振り分けて表面実装すると共に、ＬＥＤおよびコネクタを表示用基板の前後に重なる位置に配置しているので、表示用基板をよりコンパクトにすることができます。このように、本願請求項１および２に係る発明は、「表示手段」全体を小型化して狭いスペースに配置できるので、遊技盤等の限られた前面スペースを有効利用して、他の遊技部品を配置する等が可能となり、それにより遊技の興趣を向上させることができます。ＬＥＤだけでなくコネクタも表面実装することで、ＬＥＤおよびコネクタを表示用基板の前後に重なる位置に配置できるのであり、ＬＥＤおよびコネクタの両方を表面実装するという技術的思想の開示がない引用文献１からは、本願発明の前記特徴事項を直ちに導き出すことができないのは明らかです。
　このように、引用文献１からは、本願請求項１および２に係る発明と同様の作用効果が生じることはなく、引用文献１に開示の構成から、本願請求項１および２に係る発明を導き出せるはずもありません。」
　
　そこで、請求人の上記主張について検討する。
　請求人は、本件補正発明は、「ＬＥＤおよびコネクタを表示用基板の前後に重なる位置に配置している」ものであるが、この構成は引用文献１（審決における「刊行物１」に対応する。）からは導き出せない旨主張するが、本願発明の当該構成は、上記（３）対比（ｃ、ｃ１）において検討したように、刊行物発明の構成ｃ、ｃ１が備えるものである。
　また、請求人は、本件補正発明は、「ＬＥＤおよびコネクタを表示用基板の前面と後面とに振り分けて表面実装する」ものであるが、この構成は引用文献１からは導き出せない旨主張するが、本件補正発明の当該構成は、上記（３）の本件補正発明と刊行物発明との対比において、相違点として抽出し、上記（４）ア（ア）〜（イ）において検討したように、刊行物発明と周知の技術事項に基づいて当業者が容易になし得たものであり、また、刊行物発明に基づいて当業者が容易になし得たものである。
　よって、請求人の上記主張を採用することはできない。
　
　　　ウ　小括
　本件補正発明により奏される効果は、刊行物発明、及び、上記周知の技術事項、若しくは、刊行物１に記載された技術事項、又は、刊行物発明から当業者が予測できる効果の範囲内のものであり、格別なものではない。
　そうすると、上記ア〜エにおいて検討したとおり、本件補正発明は、刊行物発明と周知の技術事項に基づいて、また、刊行物発明に基づいて当業者が容易になし得たものであるから、特許法第２９条第２項の規定により、特許出願の際に独立して特許を受けることができないものである。
　
　（５）まとめ
　上記（１）〜（４）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１〜２に係る発明は、平成２９年８月２４日付け手続補正書により補正された特許請求の範囲の請求項１〜２に記載されたとおりのものであるところ、その請求項１に係る発明（以下「本願発明」という。記号Ａ〜Ｅは、分説するため当審で付した。）は、次のとおりのものと認める。
「Ａ　遊技の進行を制御する主制御手段と、
Ｂ　前記主制御手段に接続され、前記主制御手段からの信号に応じて、特別図柄、特別図柄に対応する抽選についての保留記憶数、大当り遊技のラウンド数、普通図柄、普通図柄に対応する抽選についての保留記憶数のうちのいずれかをＬＥＤにより表示する表示手段と
を備える遊技機であって、
Ｃ　前記表示手段は、
Ｃ１’複数の前記ＬＥＤが表面実装されると共に、前記主制御手段に電気的に繋がるハーネスが接続されるコネクタが表面実装された表示用基板と、
Ｃ２　前記複数のＬＥＤが実装された前記表示用基板前面を覆うカバー部材と、
　を備え、
Ｄ　前記カバー部材は、前記カバー部材を前後に貫通すると共に前記ＬＥＤに対応して形成される窓を区画し、前記窓に対応する前記ＬＥＤの状態を前記窓毎に区別可能に構成した窓画成部を備え、
Ｅ　前記表示手段は、前記表示用基板が前記カバー部材から取り外し困難、前記表示用基板と前記カバー部材とが再組み立て困難、又は、該表示手段を分解した際に前記カバー部材及び前記表示用基板の何れかに取り外しの痕跡が残るように構成した
ことを特徴とする遊技機。」
　
　２　拒絶の理由（平成２９年６月１９日付け）
　原査定の拒絶の理由は、概略、次のとおりのものである。
（進歩性）本願の請求項１に係る発明は、その出願前に日本国内において、頒布された下記の刊行物に記載された発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　記
　　　　　　　　　　　　　〈引用文献等一覧〉
　刊行物１：特開２０１５−１００４６７号公報
　
　３　刊行物に記載された事項
　原査定の拒絶理由において提示された、刊行物１である特開２０１５−１００４６７号公報（前記「第２　３（２）刊行物１」における「刊行物１」に対応する。）の記載事項及び刊行物発明の認定については、前記「第２　３（２）刊行物１」に記載したとおりである。
　
　４　対比・判断
　本願発明は、前記「第２　３（１）」で検討した本件補正発明における構成Ａ〜Ｅのうち、構成Ｃ１について、「複数の前記ＬＥＤが
前面に
後面に
、前記コネクタが前記複数のＬＥＤの実装領域に対応する後側位置に配置された
　そして、前記「第２　３（３）対比」で検討した内容からみて、刊行物発明における構成ａ〜ｃ、ｃ２〜ｅは、本願発明の構成Ａ〜Ｃ、Ｃ２〜Ｅに、それぞれ、相当する。
　そうすると、本願発明と刊行物発明とは、本件補正発明と同様にして、前記「第２　３（３）対比」における相違点（構成Ｃ１）に基づく次の相違点１（構成Ｃ１’）において相違し、その余の点において一致する。
　
［相違点１］（構成Ｃ１’）
　コネクタの表示用基板への実装が、本願発明は、表面実装によるものであるのに対して、刊行物発明は、表面実装であるか否か不明である点で一応相違する。
　
　そして、相違点（構成Ｃ１）についての判断は、前記「第２　３（４）当審の判断」において検討したとおりであるから、コネクタの表示用基板への実装面が後面であることの限定を省いた相違点１（構成Ｃ１’）についても、相違点（構成Ｃ１）についての判断と同様である。
　したがって、本願発明は、刊行物発明と周知の技術事項に基づいて当業者が容易になし得たものであり、また、刊行物発明に基づいて当業者が容易になし得たものである。
　
５　むすび
　以上のとおりであるから、本願発明は、特許法第２９条第２項の規定により特許を受けることができない。
　したがって、その余の請求項について検討するまでもなく、本願は拒絶すべきものである。
　
　よって、結論のとおり審決する。